(57)【特許請求の範囲】
【請求項１】
周囲の一部または全部に貯水槽が配置された屋上集合ガーデンプランターであって、該貯水槽には、給水手段と、土壌面の高さで、かつ、屋上集合ガーデンプランターに対し内方に開口した入水口と、該入水口より低く、かつ、屋上集合ガーデンプランターに対し外方に開口した排水口と、屋上集合ガーデンプランターに対し外方に、かつ貯水槽の下端に位置する開閉可能な水抜き口と、屋上集合ガーデンプランターに対し内方の面の通水用微細孔とを有し、該貯水槽の内部には、保水性材料を充填したことを特徴とする屋上集合ガーデンプランター。
【請求項２】
排水手段を備えた２つ以上のリブ付き床パネルと、該リブ付き床パネルの端部に一体に形成された２つ以上の貯水槽とからなる再構成可能な屋上集合ガーデンプランターであって、前記リブ付き床パネルが同一平面状に配置されることにより、植栽用の土壌を収納可能に前記貯水槽が側壁面を形成し、該貯水槽には、給水手段と、土壌面の高さで、かつ、屋上集合ガーデンプランターに対し内方に開口した入水口と、該入水口より低く、かつ、屋上集合ガーデンプランターに対し外方に開口した排水口と、屋上集合ガーデンプランターに対し外方に、かつ貯水槽の下端に位置する開閉可能な水抜き口と、屋上集合ガーデンプランターに対し内方の面の通水用微細孔とを有することを特徴とする屋上集合ガーデンプランター。
【請求項３】
前記リブ付き床パネルの中央、角および辺の下に足を備え、該足は、リブ付き床パネルが水平な同一平面状となるようにそれぞれ任意の高さを有し、中央の足は、中空の円筒構造であり、上端に通水性フィルターを備え、下端側面の一部に水抜きを設けたことを特徴とする請求項２に記載の屋上集合ガーデンプランター。
【請求項４】
前記貯水槽とリブ付き床パネルの端部とが接する位置の下、およびリブ付き床パネルの端部同士が接する位置の下に、格子点状にプランターベースを備え、該プランターベースは、リブ付き床パネルが水平な同一平面状となるようにそれぞれ任意の高さを有し、貯水槽とプランターベースとは一体に固定し、リブ付き床パネルとプランターベースのそれぞれには係合手段を備えたことを特徴とする請求項２に記載の屋上集合ガーデンプランター。
【請求項５】
前記貯水槽の下部、またはリブ付き床パネルの端部同士が接する位置の下部に、直交する格子状、または任意の格子状に、根太組を備え、該根太組を構成する根太の交差位置に、根太を支える根太組用ヘッドを備え、該根太組用ヘッドは、リブ付き床パネルが水平な同一平面状となるようにそれぞれ任意の高さを有することを特徴とする請求項２に記載の屋上集合ガーデンプランター。
【請求項６】
前記入水口および排水口に、通水性フィルターを設けたことを特徴とする請求項１または２に記載の屋上集合ガーデンプランター。
【請求項７】
前記入水口と排水口の間を、通水孔を備えた管が連通することを特徴とする請求項１または２に記載の屋上集合ガーデンプランター。
【請求項８】
篭型で、分割および組立てが可能なユニット構造で、２つ以上の貯水槽が周囲の一部に一体に配置された埋め込み型プランターを、内部に収納した屋上集合ガーデンプランターであって、前記貯水槽は、通水性フィルターが覆う水平な開口部と、埋め込み型プランターに対し内方の面の通水用微細孔を有し、埋め込み型プランターは、周囲の残部および底部は通水性のある構造で構成され、２つ以上の樹木転倒防止用ひもかけ部を上部に備えたことを特徴とする請求項１または２に記載の屋上集合ガーデンプランター。
【請求項９】
篭型で、分割および組立てが可能なユニット構造で、２つ以上の貯水槽が周囲の一部に一体に配置された埋め込み型プランターであって、前記貯水槽は、通水性フィルターが覆う水平な開口部と、埋め込み型プランターに対し内方の面の通水用微細孔を有し、周囲の残部および底部は通水性のある構造で構成され、２つ以上の樹木転倒防止用ひもかけ部を上部に備えたことを特徴とする埋め込み型プランター。
【発明の詳細な説明】
【０００１】
【発明の属する技術分野】
本発明は、屋上ガーデンを構成するための屋上集合ガーデンプランターに関する。
【０００２】
【従来の技術】
従来、居住用ビルディングなどの屋上やテラスでガーデニングを行うためには、小型のプランターを工夫して並べたり、コンクリートブロックや煉瓦で周囲を囲んだ中に、土壌を敷き詰めて、樹木や草花を栽培していた。このような屋上ガーデンは、植物を栽培、鑑賞することによるヒーリング効果や、ビルディングの冷暖房費用の節約などの利点があり、今後の普及が大いに期待されている。
【０００３】
さらに、屋上ガーデンは、都市のヒートアイランド現象の軽減効果や、地球環境問題である温室効果ガスの二酸化炭素を吸収する効果もあり、都市緑地保全法による行政指導で促進されようとしている。
【０００４】
しかし、人の背丈程度の大型の樹木を植えようとすると、瞬間的な突風に対する対策として、土壌に十分な深さが必要であり、このような深い土壌は、質量が大きくなるため、屋上構造に当初からの耐荷重設計が必要であった。従って、何も対策を採っていない屋上には、小型の植物しか栽培ができないという問題があり、屋上ガーデンの多様化の支障となっていた。
【０００５】
また、コンクリートが露出した屋上面に盛り土をした場合は、土壌中の水分によりコンクリートの劣化が進む問題もあった。屋上面に防水加工がされていたり、風雪に耐える加工がされていた場合であっても、植物の根により表面が劣化し、あるいは、根が侵入して、屋上面が裂けて、雨漏りや、建築物の老朽化を招くという問題があった。
【０００６】
通常、排水の便のために屋上は傾斜しており、傾斜した面や段差のある面に小型のプランターを敷き詰めて水平な土壌面を得るには、手間がかかるという問題もあった。
【０００７】
また、低い面に高い台を設けて配置したプランターの辺りは、プランター間からこぼれ落ちる土砂や塵埃が溜まり、清掃が困難であるという問題があった。また、小型のプランターであれば、パラペット周りや、排水口の上などには設置できないという問題もあった。
【０００８】
さらに、いったん構成した屋上ガーデンの一部を縮小しようとしたり、あるいは屋上ガーデンを拡大しようとした場合には、小型のプランターであれば数が多く、大型のプランターであれば重いために、いずれの場合でも移動が面倒であり、直に盛り土をした場合には作業が困難であるという問題もあった。
【０００９】
【発明が解決しようとする課題】
本発明は、軽量で、設計前の新築物件や既存建築物に対応可能で、管理および再構成が容易で、台風などの強風にも耐えられ、自動散水（灌水）機能を備えた屋上集合ガーデンプランターを提供することを目的とする。
【００１０】
【課題を解決するための手段】
本発明の屋上集合ガーデンプランターは、周囲の一部または全部に貯水槽が配置され、該貯水槽には、給水手段と、土壌面の高さで、かつ、屋上集合ガーデンプランターに対し内方に開口した入水口と、該入水口より低く、かつ、屋上集合ガーデンプランターに対し外方に開口した排水口と、屋上集合ガーデンプランターに対し外方に、かつ貯水槽の下端に位置する開閉可能な水抜き口と、屋上集合ガーデンプランターに対し内方の面の通水用微細孔とを有し、該貯水槽の内部には、保水性材料を充填する。
【００１１】
あるいは、排水手段を備えた２つ以上のリブ付き床パネルと、該リブ付き床パネルの端部に一体に形成された２つ以上の貯水槽とからなる再構成可能な屋上集合ガーデンプランターであって、前記リブ付き床パネルが同一平面状に配置されることにより、植栽用の土壌を収納可能に前記貯水槽が側壁面を形成し、該貯水槽には、給水手段と、土壌面の高さで、かつ、屋上集合ガーデンプランターに対し内方に開口した入水口と、該入水口より低く、かつ、屋上集合ガーデンプランターに対し外方に開口した排水口と、屋上集合ガーデンプランターに対し外方に、かつ貯水槽の下端に位置する開閉可能な水抜き口と、屋上集合ガーデンプランターに対し内方の面の通水用微細孔とを有する。
【００１２】
前記リブ付き床パネルの中央、角および辺の下に足を備え、該足は、リブ付き床パネルが水平な同一平面状となるようにそれぞれ任意の高さを有し、中央の足は、中空の円筒構造であり、上端に通水性フィルターを備え、下端側面の一部に水抜きを設けることが望ましい。
【００１３】
あるいは、前記貯水槽とリブ付き床パネルの端部とが接する位置の下、およびリブ付き床パネルの端部同士が接する位置の下に、格子点状にプランターベースを備え、該プランターベースは、リブ付き床パネルが水平な同一平面状となるようにそれぞれ任意の高さを有し、貯水槽とプランターベースとは一体に固定し、リブ付き床パネルとプランターベースのそれぞれには係合手段を備えてもよい。
【００１４】
あるいは、前記貯水槽の下部、またはリブ付き床パネルの端部同士が接する位置の下部に、直交する格子状、または任意の格子状に、根太組を備え、該根太組を構成する根太の交差位置に、根太を支える根太組用ヘッドを備え、該根太組用ヘッドは、リブ付き床パネルが水平な同一平面状となるようにそれぞれ任意の高さを有してもよい。
【００１５】
前記入水口および排水口に、通水性フィルターを設けるか、前記入水口と排水口の間を、通水孔を備えた管が連通することが望ましい。
【００１６】
さらに、篭型で、分割および組立てが可能なユニット構造で、２つ以上の貯水槽が周囲の一部に一体に配置された埋め込み型プランターを、内部に収納することが好ましい。前記貯水槽は、通水性フィルターが覆う水平な開口部と、埋め込み型プランターに対し内方の面の通水用微細孔を有する。埋め込み型プランターは、周囲の残部および底部は通水性のある構造で構成され、２つ以上の樹木転倒防止用ひもかけ部を上部に備える。
【００１７】
【発明の実施の形態】
図面を参照して、本発明を説明する。
【００１８】
図１は、本発明の屋上集合ガーデンプランターの一実施例を示す斜視図である。図２は、図１の要部を拡大した一部破断斜視図である。図３は、図１の要部を拡大した断面図である。
【００１９】
本発明の屋上集合ガーデンプランターは、排水手段を備えたリブ付き床パネル１と、該リブ付き床パネル１の端部に一体に形成される貯水槽２とからなる。前記リブ付き床パネル１を同一平面状に配置することにより、前記貯水槽２が植栽用の土壌１０を収納可能な側壁面を形成する。
【００２０】
リブ付き床パネル１は、合成樹脂製とし、例えば、６００×１２００×３５ｍｍとする。リブ付き床パネル１の構造としては、凹部１ｂが規則正しく並ぶように形成する。従って、該凹部１ｂに対する残部１ｄが、構造を強化するリブとして機能すると共に、凹部１ｂが空気層を形成可能となる。さらに、この空気層は、水はけを良くする効果も有する。該凹部は、下面に設けるようにしても、両面に設けるようにしてもよい。リブ付き床パネル１の端面には、図２に示したように、互いに係合する差し込み式の構造を備えて、容易に再構成を可能とする。
【００２１】
さらに、リブ付き床パネル１の中央、角および辺の下に、例えば２００ｍｍ〜４５０ｍｍ間隔で、足１ｆ、１ｇを備え、該足１ｆ、１ｇは、リブ付き床パネル１が水平な同一平面状となるようにそれぞれ任意の高さを有する。足１ｆは、図３に断面図を示したように、プランターベースとして作製し、先に、貯水槽２の底部に強固に固定してから、係合手段でリブ付き床パネル１と接合させてもよい。この場合、リブ付き床パネル１にかかる垂直方向の荷重でプランターベースが接地面に固定されるので、貯水槽２にかかる水平方向の荷重で貯水槽２が傾斜したり、倒れたりすることを防止できるという効果を得られる。
【００２２】
また、リブ付き床パネル１の中央の下の足１ｇは、中空の円筒構造とし、上端に通水性フィルター１ｈを備え、下端に水抜き１ｉを設けて、排水手段を兼用させる。足１ｆ、１ｇは、必要とされる強度に合わせて、数量や大きさを変化させるとよい。
【００２３】
貯水槽２は、例えば、高さ３００ｍｍ、幅１５０ｍｍとなるように、四方を合成樹脂製の板材で囲んで形成する。また、該貯水槽２は、図示しないが、下部を厚く、特に外方に厚い断面台形状として、土壌および蓄えられた水の側圧を支えるとよい。内方の下端には、前記リブ付き床パネル１に対して、直立した姿勢が維持可能となるように、図示したような断面Ｌ字状の部材を用いて固定する。該部材は、接合する長さにわたって配置するようにしてもよいし、部分的に配置するようにしてもよい。
【００２４】
さらに、一方の面は、土壌が湿潤する程度に水が浸出する微細な孔２ｆを多数備え、土壌面１０ａと同じ高さの入水口２ｂを設ける。図１および図２には、孔２ｆの図示を省略している。他方の面には該入水口２ｂより低い高さの排水口２ｃと、下部に開閉可能な水抜き口２ｄとを設ける。入水口２ｂおよび排水口２ｃには、通水性フィルターを備える。また、貯水槽２の内部には、例えば水が腐敗しないように、かつ保水性を高めるために加工した樹脂素材（図示せず）を充填する。該樹脂素材は、公知の物を使用すればよい。貯水槽２の上部は、着脱容易で、継手手段を有する蓋２ｇを備える。貯水槽２の端面には、図２に示したように、互いに係合する差し込み式の構造を備えて、容易に再構成を可能とする。
【００２５】
また、図４に示すように、入水口２ｂと排水口２ｃの間を、通水孔２ｉを備えた管２ｈが連通することにより、異物や、虫などの小動物の侵入を防止することが望ましい。
【００２６】
貯水槽２には、乾期時に、例えば孔の開いた配管のような給水手段２ａを備える。給水手段２ａは、水道管や、水量調節手段を備えた給水システム（図示せず）に接続する。該給水手段は、隣接する貯水槽同士を給水管２ｊで連結させて、一つの貯水槽の給水管２ｊに給水することにより、全ての貯水槽に給水することが好ましい。さらに、排水口２ｃより低い位置で貯水槽２内の水が移動可能となるように、貯水槽２の端面に開口し、相互に接続可能な連結管２ｋおよび連結孔２ｍを設けてもよい。連結孔２ｍは、連結管２ｋと対向する他の貯水槽２の端面に設ける。連結管２ｋの周囲には、連結孔２ｍに差し込まれた時に、水が漏れないような弾力性のある部材で構成するとよい。あるいは、連結管２ｋの周囲に弾力性のある部材を配置してもよい。該連結管２ｋにより、全ての貯水槽内の水位を同じ高さに保つようにでき、全体に均一な給水が可能となる。
【００２７】
図示しないが、足１ｆ、１ｇの代わりに、直交する格子状、または任意の格子状に配置した根太組と、根太組を構成する根太の交差する位置に配置する根太組用ヘッドにより、リブ付き床パネルを水平に支持してもよい。
【００２８】
本発明の屋上集合ガーデンプランターの使用方法としては、図１に示したように設置された屋上集合ガーデンプランターに、土壌を敷き詰め、樹木や草花を栽培する。雨水は、土壌に浸み込み、一部はリブ付き床パネルの足に設けた水抜きから排水されるが、一部は土壌中に蓄えられる。また、降雨量が多い場合には、土壌面の上を流れて、前記入水口から貯水槽に流れ込む。雨水が、貯水槽に充分蓄えられれば、排水口の水位で、排水口から外壁面を伝って排水される。貯水槽内の雨水は、土壌に面した微細な孔から長時間かけて浸みだして、土壌を潤し続ける。貯水槽内の水位が下がっても、土壌の底から給水することができる。
【００２９】
以上のように、屋上ガーデンでありながら、自然の水循環システムに近い態様で植物に水を供給でき、かかる世話が少なくて済むという効果が得られる。
【００３０】
貯水槽内の清掃の時や、水が腐敗しそうな状況の時は、通常は閉じてある開閉可能な水抜き口を開けて、排水する。
【００３１】
また、図５に示したように、実際の屋上ガーデンとしては、奥まった場所の手入れが容易に行えるように、リブ付き床パネルを屋上集合ガーデンプランターの間にも配置して、通路として利用したり、また、その上に芝生や樹脂製の敷石を敷くとよい。この場合のリブ付き床パネルは、凹部を下に向けて配置する。あるいは、全体を一つの屋上集合ガーデンプランターで構成してもよい。一つの大型の屋上集合ガーデンプランターとした場合には、図６または図７に示したような埋め込み型プランター４を、前記屋上集合ガーデンプランター内の土壌に埋め込んで、該埋め込み型プランター４の中に樹木の根を入れる。
【００３２】
本発明の埋め込み型プランター４は、２つ以上の樹木転倒防止用ひもかけ部４ａを上部に備え、篭型で、分割および組立てが可能なユニット構造である。水平な開口部を通水性フィルター４ｂが覆い、内方の面に通水孔を有する２つ以上の貯水槽４ｃが、周囲の一部に一体に配置され、かつ、周囲の残部および底部は通水性のあるネット４ｄで構成される。貯水槽４ｃの入水口を、土壌面より上に出した方がよいが、埋設してしまってもよい。この埋め込み型プランターで、雨水を循環して使用する仕組みは、前述の屋上集合ガーデンプランターと同様である。貯水槽４ｃおよびネット４ｄは、継ぎ手差し込み式の構造を端面に備えてユニット化し、図７に示すような一方に長い形状などに組立て可能とする。
【００３３】
屋上集合ガーデンプランター内の適当な位置に、該埋め込み型プランター４を配置し、該埋め込み型プランター４の中に、土壌と一緒に根を収納し、樹木転倒防止用ひもかけ部４ａに掛けた紐で、樹木の幹や枝を四方から引っ張って固定する。根が屋上集合ガーデンプランターの深さより大きい場合には、高さの大きい埋め込み型プランター４を使用して、該埋め込み型プランター４の貯水槽の入水口の高さまで、周囲に盛り土を行う。このように、樹木転倒防止用ひもかけ部４ａが、屋上ガーデンの場合に打つことができない杭の代用として使用できる。樹木転倒防止用ひもかけ部４ａは、図７に示したように、耳のように取り付けられるループ状の部材でも良いし、図６に示したように、単に孔を設けるだけでもよい。
【００３４】
このような埋め込み型プランターを使用して樹木を屋上集合ガーデンプランター内に植えることにより、根を傷付けることなく、容易に植え替えが行えて、転倒防止ができ、給水が自動的に行え、根の周りの通気がよくなるという効果を得ることできる。特に、竹などのような根の張る植物を植えるのに適している。
【００３５】
図８に、本発明の一実施例を、横断面図および縦断面図により示した。
【００３６】
本実施例では、６つの貯水槽２により囲んだ６００×１２００ｍｍの中に、水勾配を設け、一端に水抜孔１ｈを備えた波形床パネル１を並べて、その上に土壌を敷き詰めることにより、屋上ガーデンプランターを構成している。前記水抜孔１ｈの下には、水受樋５を備える。本実施例のように、床パネル１を、波形とすることにより、リブ部を設けてもよい。
【００３７】
貯水槽２、波形床パネル１および水受樋５は、リサイクル樹脂を使用した樹脂ボードを成型して作製し、軽量化することができた。
【００３８】
貯水槽２は、高さ３５ｍｍ、幅１６０ｍｍ、長さ１０００ｍｍや、高さ３５ｍｍ、幅１６０ｍｍ、長さ７００ｍｍを単位として、図示したような構成が可能となるように形成し、各々、蓋を備えた。また、蓋なしの貯水槽を利用して、水面では水耕栽培を行い、水中で小魚や虫を飼育して、それらを鑑賞することもできる。
【００３９】
波形床パネル１は、断面Ｖ字型の細長い形状を単位として、端部同士をジョイントさせることにより構成する。このジョイント部には、防水用コーキング材を使用し、防水用ビニールシートで再度保護する。幅波形床パネル１には、３００ｍｍ間隔で、高さ７０〜１００ｍｍで、水勾配が生じるように、足を設けた。この足には、直径５０ｍｍ程度の円錐型または角型でもよく、根太工法を用いても良い。さらに、長さ方向にもジョイント可能な構造を備える。
【００４０】
また、貯水槽２の内側面に、波形床パネル１の端部を係合可能な突起を設けるとよい。
【００４１】
循環水用水中ポンプ６から、隣接する貯水槽２へ水を送り出すことにより、絶えず水が循環可能となる。終端には、散水用水中ポンプ７を設け、土壌面に配置した穴あきホースなどにより、土壌面に散水する。十分な降水が無い場合には、循環水用水中ポンプ６に、水道水を供給する。
【００４２】
本発明により、既存の建物にも施工ができて、屋上緑化が容易に可能となり、スラブに直接、土壌を入れずに、撤去時にも費用および時間がかからず、少ない積載荷重で済む屋上集合ガーデンプランターが提供可能となった。
【００４３】
【発明の効果】
本発明の屋上集合ガーデンプランターにより、再構成が容易な屋上ガーデンが容易に提供可能となる。
【００４４】
全てを合成樹脂製で軽量に作製可能なため、建築物の躯体への影響を最小限にすることができる。また、居住ビルディングの屋上面と、屋上集合ガーデンプランター内の土壌との間に、足、根太組やプランターベースなどの厚さの空気層を設けたことになり、排水が容易となり植栽の根腐れ防止が可能となり、植生に不可欠な根への酸素供給に役立つ。また、日射熱の放出が期待できて、夏期冷房費用の増大を防ぐことができる。
【００４５】
さらに、栽培する樹木の根が建築物の屋上スラブ（防水層）に達することが無いので、建築物を傷めることがないという効果も有する。また、足、根太組やプランターベースなどの厚さの下部スペースに、給水管を配置したり、電気配線をすることができ、維持のためのスペースを余計に必要としない追加効果も得ることができる。
【００４６】
本発明では、雨水を最も有効に利用することができ、また、廃プラなどから再利用したリサイクル材を、リブ付き床パネルなどに使用することも可能であり、地球環境に優しいビルディングの設計が可能となる。
【００４７】
また、周囲に貯水槽を設けたことにより、屋上集合ガーデンプランターの土壌による土圧がパラペットなどの側壁の一部に集中することを防ぐことができる。
【００４８】
貯水槽の蓋（笠木）は、土壌の散逸を防ぐ効果も有しており、近隣への影響を少なくすることが可能である。
【図面の簡単な説明】
【図１】本発明の屋上集合ガーデンプランターの一実施例を示す斜視図である。
【図２】図１の要部を拡大した一部破断斜視図である。
【図３】図１の要部を拡大した断面図である。
【図４】図３と異なる態様の要部を拡大した断面図である。
【図５】本発明の集合ガーデンプランターを使用した屋上ガーデンの一例を示す斜視図である。
【図６】本発明の埋め込み型プランターの一実施例を示す斜視図である。
【図７】本発明の埋め込み型プランターの一実施例を示す斜視図である。
【図８】本発明の一実施例を示す横断面図および縦断面図である。
【符号の説明】
１  リブ付き床パネル
１ｂ  凹部
１ｄ  リブ部
１ｆ、１ｇ  足
１ｈ  通水性フィルター
１ｉ  水抜き
２  貯水槽
２ａ  給水手段
２ｂ  入水口
２ｃ  排水口
２ｄ  水抜き口
２ｆ  微細孔
２ｇ  蓋（笠木）
２ｈ  管
２ｉ  通水孔
２ｊ  給水管
２ｋ  連結管
２ｍ  連結孔
４  埋め込み型プランター
４ａ  樹木転倒防止用ひもかけ部
４ｂ  通水性フィルター
４ｃ  貯水槽
４ｄ  ネット
５  水受樋
６  循環水用水中ポンプ
７  散水用水中ポンプ
１０  土壌
１０ａ  土壌面
【図１】
0003609816.tif 000002
【図２】
0003609816.tif 000003
【図３】
0003609816.tif 000004
【図４】
0003609816.tif 000005
【図５】
0003609816.tif 000006
【図６】
0003609816.tif 000007
【図７】
0003609816.tif 000008
【図８】
0003609816.tif 000009